(57)【要約】      （修正有）【課題】褥瘡予防、治療のため、敷ふとん内の湿度を常に５０％以下にできる敷ふとん除湿体圧分散エアーマットを提供すること。【解決手段】敷ふとん、カバー本体３ｂと通風布３ｃとを縫合して通風路５を形成する。又通風布３ｃの裾部に送風口金２３を設ける。カバー本体３ｂの上下側に上部ファスナー１２、下部ファスナー１１を設ける。送風口金２３の両サイド近くの、右ポケット９、左ポケット１０に殺菌、消毒、消臭、芳香、睡眠促進等の気化しやすい薬材をいれる。上下部ファスナー１２、１１より除湿ネット８を挿入して常に通風路５を通風加能な状態に保ち、暖房送風機１よりの温風又は冷風をカバー本体全面に供給する。又カバー本体３ｂの上に保温クッション材包布３ａを縫着して保温クッション材４を包み、下面には体圧分散包布３ｄを縫着して体圧分散マット室１３を作り、その内に体圧分散マットかタテヨコマット８、１８を入れ、体圧を分散させる。【選択図】図１
2005137867.tif 000002
【特許請求の範囲】
【請求項１】
袋状に形成するカバー本体３ｂと、通風布３ｃとを重ねて縫着し、送風路５を形成する。この際通風布３ｃの裾部の一ヶ所に送風口金２３を設け、さらにカバー本体３ｂの上側に上部ファスナー１２を、下側に下部ファスナー１１を設けて、除湿ネット８を通風路５内に挿入設置し、送風口金２３から暖房送風機１より、温風又は冷風を送風することを特徴とする除湿体圧分散エアーマット。
【請求項２】
請求項１に示す様に、除湿ネット８を通風路５内に挿入設置する際、送風口金２３の上に除湿ネット８が、のりかぶる様に設置し、送風口金２３よりの温風又は冷風が除湿ネット８の奥深く行きわたることを特徴とした除湿体圧分散エアーマット。
【請求項３】
請求項１に記さいされた、送風口金２３の右サイドふきんに右ポケット９を、又左サイドふきんに左ポケット１０を設け、殺菌材、消毒材、消臭材、芳香材、睡眠促進材等を入れるポケットを設置したことを特徴とした除湿体圧分散エアーマット
【発明の詳細な説明】
【発明の詳細な説明】
［発明の属する技術分野］
【０００１】本発明は敷ふとんやマットレスの上に敷くものであって、温風や冷風を敷ふとん内に供給した際、体圧にそがいされないで敷ふとん内に、くまなくエアーがゆきわたらせ長期床内生活者の褥瘡防止、治療に役立つ敷ふとんカバーに関するものである。
［従来の技術］
【０００２】寝床を温める最も一般的な方法として、従来は電気敷布や、電気毛布が用いられている。又それ以外では、実公昭４３−２１３８号に開示されるように、気密性のある容体内にダクトを形成し、温風を循環させて温める温風ふとんの思想が知られている。又本発明者らは平成１２年４月２８日特許第３０６１３６０号で、温風や冷風を敷ふとんカバー内に送風し、快適な就寝環境を作り出す、エアーコントロール敷ふとんカバを発明している。
［発明が解決しようとする課題］
【０００３】従来の技術の項て示した特許第３０６１３６０号の技術では送風路５が除湿ネット（通気性マットとも言う）８の上に位置し人が敷ふとんカバーの上に寝た時は背中のあたる部分の送風路がつぶれて背中面の汗を排出することが出来ない。この為背中の面の湿度が９９％まで上昇するのです。病院で室温２７℃、湿度４５％の病室で２１時入床し、６時起床した８時間で９９％になるのです。普通生活の方は背中のヒフは起きている間に乾燥し、又敷ふとんの面の湿度も室内の湿度にもどります。長期病床生活者は９９％の汗で湿度の高いぬれタオルをしぼった敷ふとんの上で生活しているのです。体温３６℃  湿度９９％  ヒフの皮が黄色ブドう球菌の温床となり、白くふやけたヒフが破れ褥瘡が発生するのです。
【０００４】本発明は上記の実情に鑑み長期病床生活でも、背中面の湿度が常に５０％以下になる様、常に背中面に送風が全面に渡ることを目標とした商品を提供することを目的とするものである。
［課題を解決するための手段］
【０００５】本発明に係る除湿体圧分散エアーマットは、二枚重ねで縫着するカバー本体３ｂと通風布３ｃとで構成する。カバー本体３ｂと送風路３ｃとで袋状に縫着する。その際、左縫着線２０と右縫着線２２で除湿ネット８の巾をせまくして、除湿ネット８を安くつけることも可能でその一例を示した図１である。左縫着線２０と右縫着線２２を設けない時は除湿ネット８はカバ本体３ｂの一杯に広くするのである。広くした際は左通風路６と右通風路７は不要になる。
通風布の裾部の一か所に送風口金２３を設け、これより暖房送風機１の温風を通風路５に送る。
又カバー本体３ｂの下側に下部ファスナー１１を、上側に上部ファスナー１２を縫着し、これより除湿ネット８を挿入し送風口金２３の上にかぶせる様に図１１で示す様に設置する。
カバー本体３ｂの上面に、例えば小量の中綿、羽毛、ポリエステル綿等のクッション材の保温材４を入れる、保温クッション材包布３ａを縫着し、使用者に当りが柔らかく、体圧分散に効果がある様にする。
【０００６】  カバ本体３ｂを大きな袋状とし、体圧分散包布３ｄに体圧分散マット室ファスナー１４を縫着し、体圧分散マット室１３を設ける。図２、図３を参照。体圧分散マット室１３に別件特許出願のタテヨコ体圧分散マットを挿入し理想の褥瘡防止用除湿体圧分散エアーマットが完成する。又市販中の体圧分散マットを使用しても可能である。図７、図８、図９を参照
［発明の実施の形態］
【０００７】以下、本発明の除湿体圧分散エアーマットの実施の形態を添付の図面に基づいて説明する。
図１は図２、図３と見てその構造を理解していたヾくとよろしいかと思います。図１と図２で示す様に、カバー本体３ｂと通風布３ｃはそれぞれ通気性を有する一定の大きさを有する生地で、カバー本体３ｂと通風布３ｃと重ねて縫着し、通風路５を作る。この際除湿ネット８が高価な為、巾を小さくする為左縫着線２０と、右縫着線２２で縫着すれば病床の方に安く提供出来るが、一般の家庭で病床生活者は右左の縫着線２２、２０は不要で、巾一杯の除湿ネット８を使用すればよい。この際はカバー本体３ｂが送風力で浮き上る為、除湿ネット８と体圧分散マットの巾は大き目にする必要が有りカバー本体３ｂを強く張る様にします。
【０００８】通風布３ｃに裾部の一か所に、送風口金２３を設け暖房送風機１と接続して通風路５に温風又は冷風を送る様にする。
又カバ本体３ｂの下側に下部ファスナー１１を上側に上部ファスナー１２を設けこれより除湿ネット８を挿入し送風口金２３の上にかぶる様に設置し、送風がネット裏より奥深く流れる様にする。
さらに除湿ネットを安く上げる為、長さを短くして送風口金２３の上にかぶらなくても除湿効果はそれなりに得られ、褥瘡防止することが出来るのである。
【０００９】通風布３ｃの下側に取付られた送風口金２３の右の近くに右ポケット９を左の近くに左ポケット１０を設けて、殺菌材、消毒材、消臭材  芳香材  睡眠促進材等を入れるポケットを設け、送風される温風により適量気化して健康な寝床内気候が得られることを目的としたものである。
【００１０】本発明の最大の特長は長期病床生活者が寝具内で寝ていると、２４時間に５００ｃｃ余の発汗があり、背中面は８時間で９９％に湿度が上昇します。この環境で長期病床の方は１００％近い人が、褥瘡を発生させるのです。又細菌の増殖、悪臭の発生、寝眠の不足が起り、病状を悪化させ病気の回復が遅れているのが原状です。褥瘡予防用具は数１００種市場にありますが除湿出来る高品は、先に申しのべた特許第３０６１３６０号のみです。この発明を褥瘡の第一期発赤の方に使用していたゞきました。１０日で完治されました。予防用具としては実証済です本発明は褥瘡の２期後の方の治療に全国の病院に使用していたゞける商品を目的に開発したものです。
下部ファスナー１１、上部ファスナー１２を開くと、通風路５がクリーニング出来るし、除湿ネット８を取り出し、体圧分散マット８、１８を取り出すと、家庭洗濯器で丸洗出来るのです。この際保温クッション材４は、ポリエステル平綿を使用すれば病院用には最適です。
【００１１】図２は図１のＣ〜Ｄ断面で、図３は図１のＡ〜Ｂ断面である。図２、図３には、除湿ネット８、体圧分散マット８、１８は挿入してありません。
送風口金２３を取りはずし、下部ファスナー１１、上部ファスナー１２を開口して、丸洗いすることにより、病院で退院者が出た後、クリーニングして再利用が可能で介護保険法のレンタル使用も出来るのです。
【００１２】図４はＡ′〜Ｂ′は、図５の除湿ネット８、１８が除湿ネット位置２１に、又図７のタテヨコ体圧分散マット１５、１６が、体圧分散マット室１３に入る位置を示した図です。
【００１３】図１０は暖房送風機１２と送風口金２３と接続されて、除湿ネット８の下面より送風が奥深く送風されている図で、図１１は図１０の丸印の拡大した図です。
【００１４】図１４は、図１０のＡ〜Ｂ断面で、除湿ネット８と送風口金２３との位置を示す図です。又送風口金２３と右ポケット９、左ポケット１０の位置を示す図です。
［発明の効果］
【００１５】請求項１記載の本発明の褥瘡治療用の除湿体圧分散エアーマットは、通風路５内に除湿ネット８を直接入れることにより、人がこれを使用して寝た時、通風路５がつぶれることなく、除湿ネット８の厚さが通風路５となり背中面の湿度を除湿してくれる効果があり褥瘡治療に大いに役立つ効果があります。
【００１６】請求項２記載の発明は肩附近から後頭部に発生する褥瘡に効果が発生する発明で請求項１の発明では送風速度を速くしないと肩まで充分な空気が行かない。風速を高くすれば送風機の音が高くなり病室での使用が出来ない。多数病人の迷惑になり睡眠の、しょう害になるのです。
故に請求項２の発明は多くの実験の結果発明されたものです。
頭の神経が病気になられた人が東大病院に入院され、数日後に褥瘡が発生、その後千葉県の病院、東京警さつ病院等８ヶ月に渡り治療に努力されましたが完治せず、自宅療養に入られました。この時本商品発明前の特許第３０６１３６０号の商品を使用され完治されたのですが、体重７０ｋｇ、多汗の方で、夜２回寝巻をかへねばならない体質の方でした。
この様な方には本発明は最適な効果が発揮出来ると信じます。
【００１７】請求項３の発明は上記の褥瘡発生の病人の方が、長期に寝ていて寝具を常に交換出来ない方は、寝具内に細菌が増殖し、悪臭が発生、睡眠不足が起こるのです。
又暖房送風機１で、院内の空気を送ることにより、この空気を消毒することも人によっては求められます。以上の様なことが全て解決される発明で病院で使用時安心して使用出来る効果は絶大である。
【図面の簡単な説明】
【００１８】
【図１】本発明の褥瘡治療用の除湿体圧分散エアーマットの、カバー本体３ｂと通風布３ｃとで形成され、保温クッション包布３ａで包まれた、保温クッション材４をさらに体圧分散包布３ｄとを縫合し、暖房送風機１をセットした平面図
【図２】図１のＣ〜Ｄ断面図
【図３】図１のＡ〜Ｂ断面図
【図４】図３に除湿ネット８、体圧分散マット８、１８を挿入した予想断面図
【図５】除湿ネット８、の一部破断図
【図６】図５のイ〜ロ断面図で通気性を示す現寸図である。
【図７】体圧分散マットの理想とする、タテヨコ体圧分散マット１５、１６の２枚縫着図で一部破断図
【図８】図７の一部位の側面断面図
【図９】図７の一部位の側面断面図
【図１０】褥瘡治療用の除湿体圧分散エアーマットと暖房送風機１とのセットで、図１に、除湿ネット８、タテヨコ体圧分散マット１５、１６を挿入し使用時の一部断面図
【図１１】図１０の１部拡大断面図
【図１２】図１０のＡ〜Ｂ断面
【符号の説明】
【００１９】１−−−暖房送風機  ２−−−送風口  ３−−−エアマット本体  ３ａ−−−保湿クッション材包布  ３ｂ−−−カバー本体  ３ｃ−−−通風布  ３ｄ−−−体圧分散包布  ４−−−保温クッション材  ５−−−通風路  ６−−−左通風路  ７−−−右通風路  ８−−−除湿ネット（荒目）  ９−−−右ポケット  １１−−−左ポケット  １１−−−下部ファスナー  １２−−−上部ファスナー  １３−−−体圧分散マット室  １４−−−体圧分散マット室ファスナー  １５−−−タテマット  １６−−−ヨコマット  １７−−−暖房機スタンド  １８−−−除湿ネット（細目）  １９−−−タテマットＶ字空間  ２０−−−左縫着線  ２１−−−除湿ネット位置  ２２−−−右縫着線  ２３−−−送風口金  ２４−−−空気溜
【図１】
2005137867.tif 000003
【図２】
2005137867.tif 000004
【図３】
2005137867.tif 000005
【図４】
2005137867.tif 000006
【図５】
2005137867.tif 000007
【図６】
2005137867.tif 000008
【図７】
2005137867.tif 000009
【図１０】
2005137867.tif 000010
【図１１】
2005137867.tif 000011
【図１２】
2005137867.tif 000012
【手続補正書】
【提出日】平成16年2月5日(2004.2.5)
【手続補正１】
【補正対象書類名】図面
【補正対象項目名】全図
【補正方法】変更
【補正の内容】
【図１】
2005137867.tif 000013
【図２】
2005137867.tif 000014
【図３】
2005137867.tif 000015
【図４】
2005137867.tif 000016
【図５】
2005137867.tif 000017
【図６】
2005137867.tif 000018
【図７】
2005137867.tif 000019
【図８】
2005137867.tif 000020
【図９】
2005137867.tif 000021
【図１０】
2005137867.tif 000022
【図１１】
2005137867.tif 000023
【図１２】
2005137867.tif 000024